(57)【要約】【課題】平面コイルを使用してコイルのＱ値を高くし、送電側のコイルから受電側のコイルに電力搬送する送電効率を相当に高くする。【解決手段】電力搬送装置は、交流電源３と、この交流電源３の周波数に共振する送電側のコイル１Ｘと、この送電側のコイル１Ｘと共振周波数が等しく、送電側のコイル１Ｘから電力搬送される受電側のコイル１Ｙとを備え、送電側のコイル１Ｘから受電側のコイル１Ｙに磁界共鳴で電力搬送する。コイル１は、導線１２を同一平面にスパイラル状に巻いてなる平面コイル１１を複数個互いに略平行に配置してなる多層スパイラルコイル１０としている。この多層スパイラルコイル１０は、隣接する平面コイル１１の間隔を、等価直列抵抗が、隣接する平面コイル１１の密着状態における等価直列抵抗の０．５倍以下とする間隔よりも広く配置している。                                           【選択図】図２
2014023324.tif 000002
【特許請求の範囲】
【請求項１】
交流電源(3)と、この交流電源(3)の周波数に共振する送電側のコイル(1X)と、この送電側のコイル(1X)と共振周波数が等しく、送電側のコイル(1X)から電力搬送される受電側のコイル(1Y)とを備え、送電側のコイル(1X)から受電側のコイル(1Y)に磁界共鳴で電力搬送する電力搬送装置であって、
前記コイル(1)が、導線(12)を同一平面にスパイラル状に巻いてなる平面コイル(11)を複数個互いに略平行に配置してなる多層スパイラルコイル(10)で、この多層スパイラルコイル(10)は、隣接する平面コイル(11)の間隔（Ｄ）を、等価直列抵抗が、隣接する平面コイル(11)の密着状態における等価直列抵抗の０．５倍以下とする間隔よりも広く配置してなることを特徴とする電力搬送装置。
【請求項２】
前記受電側のコイル(1Y)が、複数の平面コイル(11)を互いに略平行に配置してなる多層スパイラルコイル(10)で、この多層スパイラルコイル(10)は、隣接する平面コイル(11)の間隔（Ｄ）を、等価直列抵抗が、隣接する平面コイル(11)の密着状態における等価直列抵抗の０．５倍以下とする間隔よりも広く配置してなる請求項１に記載される電力搬送装置。
【請求項３】
前記送電側のコイル(1X)が、複数の平面コイル(11)を互いに略平行に配置してなる多層スパイラルコイル(10)で、この多層スパイラルコイル(10)は、隣接する平面コイル(11)の間隔（Ｄ）を、等価直列抵抗が、隣接する平面コイル(11)の密着状態における等価直列抵抗の０．５倍以下とする間隔よりも広く配置してなる請求項１又は２に記載される電力搬送装置。
【請求項４】
前記多層スパイラルコイル(10)が、２層の平面コイル(11)を略平行に配置してなる請求項１ないし３のいずれかに記載される電力搬送装置。
【請求項５】
前記多層スパイラルコイル(10)を構成してなる複数の平面コイル(11)間の間隔（Ｄ）が、スパイラル状に巻いてなる平面コイル(11)の線間の隙間（ｄ）よりも広い請求項１ないし４のいずれかに記載される電力搬送装置。
【請求項６】
隣接する前記平面コイル(11)の間隔（Ｄ）を、多層スパイラルコイル(10)のインダクタンスが、一つの平面コイル(11)のインダクタンスの３倍以上とする間隔よりも狭く配置してなる請求項１ないし５のいずれかに記載される電力搬送装置。
【発明の詳細な説明】
【技術分野】
【０００１】
本発明は、磁界共鳴方式で電力搬送する装置に関し、とくに、効率よく磁界共鳴方式で電力搬送できる装置に関する。
【背景技術】
【０００２】
磁界共鳴方式で電力搬送する装置は開発されている。この磁界共鳴方式は、送電側のコイルと受電側のコイルとの共振周波数を等しくし、交流電源から共振周波数に等しい交流を送電側のコイルに供給して、送電側のコイルから受電側のコイルに電力搬送する。この電力搬送方式は、電磁誘導作用で電力搬送する装置に比較すると、送電側のコイルと受電側のコイルとの間隔を離しながら効率よく電力搬送できる特徴がある。したがって、この磁界共鳴方式は、受電側のコイルを送電側のコイルから離して効率よく電力搬送するのに適している。この磁界共鳴方式の電力搬送のコイルとして、導線を同一平面にスパイラル状に巻いた平面コイルを使用する装置が開発されている。（特許文献１参照）
【先行技術文献】
【特許文献】
【０００３】
【特許文献１】特開２０１１−１３５７１７号公報
【発明の概要】
【発明が解決しようとする課題】
【０００４】
特許文献１の磁界共鳴による電力搬送システムは、コイルに平面コイルを使用し、さらに、共振周波数のずれを補正するために、コイルの近傍に圧電アクチュエータを設けて、コイルの線間容量を調整して共振周波数のずれを補正している。この磁界共鳴方式は、共振周波数のずれを防止して、送電効率を高く保持することができる。
【０００５】
ところで、磁界共鳴方式は、送電効率を高くするために、送電側のコイルと受電側のコイルの共振周波数を等しく調整し、さらに、電源からコイルの共振周波数に等しい交流を送電側のコイルに供給している。コイルの共振周波数（ｆ）は、コイルのインダクタンス（Ｌ）とコイルに接続されるコンデンサーの静電容量（Ｃ）から以下の式で特定される。
ｆ＝１／｛２π×（Ｌ×Ｃ）１／２｝
【０００６】
電源がコイルに供給する周波数、すなわちコイルの共振周波数は、用途やコイルの大きさなどを考慮して最適値に設定され、たとえば、５０ｋＨｚ〜１０ＭＨｚに設定される。以上の式から、コイルの共振周波数を高くすることにより、コイルのインダクタンスを小さくできる。ただ、共振周波数を高くするとトランジスタやＦＥＴに高周波用の高価なスイッチング素子を使用する必要があって部品コストが高くなる。とくに、大電力用で高周波用のスイッチング素子はさらに高価となる。また、コイルの共振周波数を高くすると、電源に使用するスイッチング素子の電力効率、すなわち、入力電力に対する出力電力の比率が低下して、電源の電力効率が低下する。コイルの共振周波数を低くすることにより、トランジスタやＦＥＴ等のスイッチング素子の部品コストを低減して、電源の電力効率を高くできる。ただ、共振周波数を低くするにはコイルのインダクタンスを大きくする必要がある。コイルのインダクタンスが特定されると、平面コイルは、巻き数と巻き径でインダクタンスが特定されるので、所定のインダクタンスとなる巻き数と直径として製作される。
【０００７】
ところで、磁界共鳴方式は、送電効率を高くするために、コイルのＱ値を高くする必要がある。送電側のコイルから受電側のコイルへの送電効率（η）が以下の式で近似できるからである。
η＝（ｋＱ）２／｛１＋［１＋（ｋＱ）２］１／２｝２
ただし、以上の式においてｋは、送電側のコイルと受電側のコイルの結合係数である。
【０００８】
以上の式から、磁界共鳴方式の送電効率は、コイルのＱ値を高くすることにより、高くできる。さらに、コイルのＱ値は、以下の式で示すようにコイルの抵抗を小さく、インダクタンスを大きくすることにより高くできる。
Ｑ＝２πｆＬ／Ｒ
【０００９】
以上の式から、コイルのＱ値は、コイルの導線の線径を太くして電気抵抗を小さくし、さらに巻き数を多くしてインダクタンスを大きくすることにより高くできる。線径を太くすることより抵抗を小さくできるが、線径を太くすると平面コイルが大きくなる。また、巻き数を多くしてインダクタンスを大きくすると、コイルの線長が長くなって電気抵抗が大きくなるので、巻き数を多くすることでＱ値を高くするのは難しい。
【００１０】
ところで、平面コイルは、複数個を略平行に多層に積層する構造で、インダクタンスを大きくできる。たとえば、２個の平面コイルを隙間なく積層すると、インダクタンスは約４倍に増加する。２個の平面コイルを直列に接続するとコイルの電気抵抗は２倍となるので、インダクタンスが４倍、電気抵抗が２倍になると、コイルのＱ値は２倍になる。しかしながら、実際に平面コイルを２層に積層してもコイルのＱ値は２倍に増加しない。それは、コイルの等価直列抵抗が２倍よりも大きくなるからである。コイルの等価直列抵抗が増加するのは、互いに接近する導線に同じ方向に電流が流れると、導線全体に均一に電流が流れなくなって、電流の流れる領域が狭く制約されるからである。したがって、平面コイルを使用する従来の磁界共鳴の電力搬送装置は、コイルのＱ値を高くすることが難しく、Ｑ値を高くして送電効率を高くするのが難しい欠点があった。
【００１１】
本発明は、この欠点を解決することを目的に開発されたものである。本発明の重要な目的は、平面コイルを使用してコイルのＱ値を高くし、送電側のコイルから受電側のコイルに電力搬送する送電効率を高くできる電力搬送装置を提供することにある。
【課題を解決するための手段及び発明の効果】
【００１２】
本発明の電力搬送装置は、交流電源３と、この交流電源３の周波数に共振する送電側のコイル１Ｘと、この送電側のコイル１Ｘと共振周波数が等しく、送電側のコイル１Ｘから電力搬送される受電側のコイル１Ｙとを備え、送電側のコイル１Ｘから受電側のコイル１Ｙに磁界共鳴で電力搬送する。コイル１は、導線１２を同一平面にスパイラル状に巻いてなる平面コイル１１を複数個互いに略平行に配置してなる多層スパイラルコイル１０としている。この多層スパイラルコイル１０は、隣接する平面コイル１１の間隔を、等価直列抵抗が、隣接する平面コイル１１を密着させた状態における等価直列抵抗の０．５倍以下とする間隔よりも広く配置している。
【００１３】
以上の電力搬送装置は、平面コイルのＱ値を高くして、送電側のコイルから受電側のコイルに電力搬送する送電効率を相当に高くできる特徴がある。それは、平面コイルを積層してインダクタンスを大きくしながら、平面コイルの間隔を等価直列抵抗が小さくなる間隔に設定するからである。
【００１４】
ちなみに、本発明の電力搬送装置は、２層の平面コイルの間隔を調整して、コイルの等価直列抵抗を小さくすることで、多層スパイラルコイルのＱ値を８００から１４００へと高くして、結合係数（ｋ）を０．０１とする状態で、送電効率を７８％から８７％へと約１０％も向上できる。結合係数（ｋ）は、送電側のコイルと受電側のコイルの間隔が広くなると小さくなり、たとえば、コイル半径が各々０．１ｍの送電側のコイルと受電側のコイルの間隔を０．５ｍにすると、０．０１程度となる。送電側のコイルと受電側のコイルの間隔を広くして結合係数（ｋ）を小さくすると送電効率は低下する。ただ、コイルのＱ値が高いと、結合係数（ｋ）が低下しても送電効率が低下する割合は少なくなる。したがって、本発明の電力搬送装置は、受電側のコイルを送電側のコイルに接近できない用途において、とくに送電効率を高くできる特徴を実現する。
【００１５】
図１は、送電側のコイルと受電側のコイルの間隔、すなわち伝送距離に対する送電効率の変化を示している。この図で曲線Ａは、Ｑ値を４００としたときのコイル間の送電効率を示し、曲線Ｂは、Ｑ値を１２００としたときのコイル間の送電効率を示している。この図から明らかなように、受電側のコイルが送電側のコイルから離れるにしたがって、コイルのＱ値を高くすることにより、送電効率の低下を少なくできることがわかる。磁界共鳴方式の電力搬送は、電磁誘導方式で電力搬送するのに比較して、受電側のコイルが送電側のコイルから離れた状態であっても効率よく電力搬送できることを特徴とする。この特徴から、磁界共鳴方式の電力搬送は、たとえば、電動自転車や電動車両のバッテリの無接点充電のように、受電側のコイルを送電側のコイルに接近させることが難しい用途に好適に使用されるが、とくに、本発明の電力搬送装置は、電磁誘導方式や従来構造のコイルを用いた磁界共鳴方式に比べてより高い送電効率を実現しながら電力搬送できる特徴を実現する。
【００１６】
本発明の電力搬送装置は、受電側のコイル１Ｙを、複数の平面コイル１１を互いに略平行に配置してなる多層スパイラルコイル１０とし、隣接する平面コイル１１の間隔（Ｄ）を、等価直列抵抗が、隣接する平面コイル１１の密着状態における等価直列抵抗の０．５倍以下とする間隔よりも広く配置することができる。
以上の電力搬送装置は、受電側のコイルを小さくしながらＱ値を高くして送電効率を高くできる。
【００１７】
本発明の電力搬送装置は、送電側のコイル１Ｘを、複数の平面コイル１１を互いに略平行に配置してなる多層スパイラルコイル１０とし、隣接する平面コイル１１の間隔（Ｄ）を、等価直列抵抗が、隣接する平面コイル１１の密着状態における等価直列抵抗の０．５倍以下とする間隔よりも広く配置することができる。
以上の電力搬送装置は、送電側のコイルのＱ値を高くし、あるいは送電側のコイルと受電側のコイルの両方のコイルのＱ値を高くして、効率よく電力搬送できる。
【００１８】
本発明の電力搬送装置は、多層スパイラルコイル１０が、２層の平面コイル１１を略平行に配置することができる。
以上の電力搬送装置は、多層スパイラルコイルを平面コイルの２層構造とするので、ヘリカル構造のコイルと比べて薄くしながら、Ｑ値を高くして、送電効率を高くできる。
【００１９】
本発明の電力搬送装置は、多層スパイラルコイル１０を構成してなる複数の平面コイル１１の間隔（Ｄ）を、スパイラル状に巻いてなる平面コイル１１の線間の隙間（ｄ）よりも広くすることができる。
以上の電力搬送装置は、平面コイルの間隔（Ｄ）を線間の隙間（ｄ）よりも広くして、等価直列抵抗を小さくしてコイルのＱ値を高くできる。
【００２０】
本発明の電力搬送装置は、隣接する平面コイル１１の間隔（Ｄ）を、多層スパイラルコイル１０のインダクタンスが、一つの平面コイル１１のインダクタンスの３倍以上とする間隔よりも狭く配置することができる。
【図面の簡単な説明】
【００２１】
【図１】送電側のコイルと受電側のコイルの間隔に対する送電効率の変化を示すグラフである。
【図２】本発明の一実施の形態にかかる電力搬送装置のブロック図である。
【図３】図２に示す電力搬送装置における送電側のコイルと受電側のコイルを示す概略構成図である。
【図４】本発明の一実施の形態にかかる電力搬送装置の使用例を示す概略図である。
【図５】コイルのＱ値によって送電効率が変化する特性を示すグラフである。
【図６】多層スパイラルコイルの一例を示す概略斜視図である。
【図７】多層スパイラルコイルの一例を示す概略断面図である。
【図８】多層スパイラルコイルの周波数に対する等価直列抵抗の一例を示すグラフである。
【図９】多層スパイラルコイルの周波数に対するＱ値の一例を示すグラフである。
【発明を実施するための形態】
【００２２】
以下、本発明の実施の形態を図面に基づいて説明する。ただし、以下に示す実施の形態は、本発明の技術思想を具体化するための電力搬送装置を例示するものであって、本発明は電力搬送装置を以下のものに特定しない。さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２３】
以下、電力搬送装置が磁界共鳴方式で電力搬送して電池を充電する装置を詳述する。ただし、本発明の電力搬送装置は、電池を充電する装置には特定せず、例えば、磁界共鳴方式で搬送される電力で照明を点灯し、あるいは動力のモータを駆動する装置などにも使用できる。
【００２４】
図２に示す電力搬送装置は、交流電源３と、この交流電源３の周波数に共振する送電側のコイル１Ｘと、この送電側のコイル１Ｘと共振周波数が等しく、送電側のコイル１Ｘから磁界共鳴で電力搬送される受電側のコイル１Ｙとを備える。送電側のコイル１Ｘと受電側のコイル１Ｙは、並列にコンデンサー２を接続して並列共振回路を構成している。並列共振回路の共振周波数は、コイル１のインダクタンスとコンデンサー２の静電容量から特定される。共振周波数が高い場合は、コイルにコンデンサーを接続することなく、コイルの浮遊容量とコイルのインダクタンスとで共振回路を構成することもできる。したがって、送電側のコイル１Ｘと受電側のコイル１Ｙには、必ずしもコンデンサーを接続する必要はない。
【００２５】
磁界共鳴方式は、共振周波数の等しい送電側のコイル１Ｘと受電側のコイル１Ｙとを結合して、送電側のコイル１Ｘから受電側のコイル１Ｙに電力搬送する方式である。したがって、磁界共鳴で電力搬送する電力搬送装置は、送電側のコイル１Ｘと受電側のコイル１Ｙの共振周波数を等しくすると共に、この共振周波数と同じ周波数の交流を、交流電源３から送電側のコイル１Ｘに供給して受電側のコイル１Ｙに電力搬送する。
【００２６】
送電側のコイル１Ｘと受電側のコイル１Ｙの共振周波数は、例えば５０ｋＨｚ〜１０ＭＨｚ、好ましくは１００ｋＨｚ〜１ＭＨｚ、さらに好ましくは１００ｋＨｚ〜５００ｋＨｚである。共振周波数を高くすればコイル１のインダクタンスを小さく、すなわちコイル１を小さくできる。ただ、共振周波数を高くすると、交流電源３のスイッチング素子３３であるトランジスタやＦＥＴ等のスイッチング素子に高価なものが必要となり、また電力損失も大きくなるので、前述の範囲で用途に最適な周波数に設定される。
【００２７】
交流電源３は、矩形波やサイン波の発振回路３１と、この発振回路３１から出力される交流で一対のスイッチング素子３３を交互にオンオフに切り換えるドライブ回路３２と、このドライブ回路３２でオンオフに切り換えられる直列に接続されたスイッチング素子３３とを備える。発振回路３１の発振周波数は、送電側のコイル１Ｘの共振周波数に等しく、この発振回路３１から出力される交流をスイッチング素子３３で電力増幅して、送電側のコイル１Ｘに供給する。
【００２８】
電力搬送装置は、交流電源３の出力を効率よく送電側のコイル１Ｘに供給することが大切である。図２に示す交流電源３は、直列接続の中間接続点３４を出力として、出力インピーダンスを低くしている。交流電源３は、低インピーダンスの１次コイル４を接続している。１次コイル４は、送電側のコイル１Ｘに結合されて、交流電源３から供給される交流を送電側のコイル１Ｘに供給する。この構造は、１次コイル４でインピーダンスマッチングをとりながら、交流電源３から出力される交流を、効率よく送電側のコイル１Ｘに供給できる。この交流電源３は、出力を１次コイル４に供給し、１次コイル４は、これに結合している送電側のコイル１Ｘに電力供給する。この回路構成は、１次コイル４と送電側のコイル１Ｘの巻き数比でインピーダンス変換して、交流電源３から送電側のコイル１Ｘに効率よく交流電力を供給できる。ただ、交流電源に直接に送電側のコイルを接続して、交流電源から送電側のコイルに電力供給することもできる。この回路構成は、交流電力の出力インピーダンスを送電側のコイルに整合するようにして、交流電力から送電側のコイルに効率よく電力供給する。
【００２９】
図２の電力搬送装置は、受電側のコイル１Ｙに誘導される交流電力を直流に変換する整流回路２２と、整流回路２２から出力される直流で電池２１を充電する充電回路２３とを備えている。整流回路２２は、受電側のコイル１Ｙに誘導される交流をダイオード２４で整流し、コンデンサー２５で脈流を直流に変換して出力する。充電回路２３は、整流回路２２から出力される直流を、電池２１の充電に最適な電流や電圧にコントロールしながら、電池２１を充電する。
【００３０】
送電側のコイル１Ｘと受電側のコイル１Ｙは、図３に示すように、互いに結合される距離に配置されて、送電側のコイル１Ｘから受電側のコイル１Ｙに磁界共鳴で電力搬送する。受電側のコイル１Ｙが送電側のコイル１Ｘに接近すると結合係数（ｋ）が大きくなって、送電効率は高くなる。送電側のコイル１Ｘから受電側のコイル１Ｙへの送電効率は、前述したように、コイル１のＱ値と結合係数（ｋ）で特定される。コイル１のＱ値は、コイル１の等価直列抵抗とインダクタンスで特定される。インダクタンスは平面コイルの巻き数と巻き径で特定されるため、コイル形状も特定される。結合係数（ｋ）は、コイル形状が特定されると、送電側のコイル１Ｘと受電側のコイル１Ｙとの距離で特定される。磁界共鳴方式は、受電側のコイル１Ｙを送電側のコイル１Ｘに密接することなく、離して効率よく電力搬送できることを特徴とする。たとえば、受電側のコイル１Ｙを送電側のコイル１Ｘから０．５ｍ離して、結合係数（ｋ）を０．０１とする状態で、コイル１のＱ値が１２００であると、送電効率は８０％以上となる。
【００３１】
結合係数（ｋ）や受電側のコイル１Ｙと送電側のコイル１Ｘの間隔は、使用する用途によって特定される。たとえば、図４に示すように、太陽電池４０の発電電力で電動自転車４１のバッテリ４３を充電する場合、自転車の前カゴ４２に受電側のコイル１Ｙを固定し、これに接近する位置に送電側のコイル１Ｘを固定している状態では、送電側のコイル１Ｘと受電側のコイル１Ｙとの間隔を２０ｃｍ以下として、結合係数（ｋ）を０．０１よりも大きくできる。結合係数（ｋ）を０．０１以上とする状態で、磁界共鳴方式で電力搬送する場合、コイル１のＱ値を高くして送電効率を高くできる。
【００３２】
図５は、コイル１のＱ値によって送電効率が変化する特性を示している。ただし、この図は、結合係数（ｋ）を０．０１とする状態での送電効率を示している。このグラフに示すように、結合係数（ｋ）を０．０１とする状態においては、コイル１のＱ値が１０００以上のとき、送電効率を８０％以上にできる。コイル１のＱ値は、インダクタンスに比例し、等価直列抵抗に反比例するので、インダクタンスを大きくし、等価直列抵抗を小さくすることにより高くできる。送電側のコイル１Ｘと受電側のコイル１Ｙは、図６と図７に示すように、導線１２を同一平面にスパイラル状に巻いている複数の平面コイル１１を互いに略平行に配置して積層する多層スパイラルコイル１０としてインダクタンスを大きくできる。
【００３３】
多層スパイラルコイル１０は、図６と図７に示すように、複数の平面コイル１１を直列に接続して略平行な姿勢とし、スパイラル状に巻いている平面コイル１１の中心を略同軸に配置している。図６に示すように、２個の平面コイル１１を２層に配置する多層スパイラルコイル１０は、平面コイル１１を直列に接続して、インダクタンスを約４倍に増加できる。コイル１のＱ値は、インダクタンスに比例するので、２個の平面コイル１１を直列に接続して、等価直列抵抗が２倍になるとすれば、Ｑ値は２倍となる。
【００３４】
図８は、周波数に対して、多層スパイラルコイル１０の等価直列抵抗が増加する状態の一例を示している。この図において曲線Ａは、直径が２ｍｍの導線１２をスパイラル状に巻いた２個の平面コイル１１を密着して積層した多層スパイラルコイル１０の等価直列抵抗を示している。この図に示すように、この多層スパイラルコイル１０の等価直列抵抗は、周波数が１０ｋＨｚのときは０．２Ωであるが、３００ｋＨｚのときには０．８Ωに増加する。１個の平面コイル１１の等価直列抵抗は、曲線Ｄで示すように、周波数が３００ｋＨｚのときには０．２Ωであるから、２層に平面コイル１１を積層してインダクタンスが４倍に増加しても、等価直列抵抗が０．２Ωから０．８Ωと４倍になるので、Ｑ値は増加しない。
【００３５】
図８の曲線Ｂは、積層する平面コイル１１の間隔（Ｄ）を３ｍｍとする多層スパイラルコイル１０の等価直列抵抗を示し、さらに、曲線Ｃは、積層する平面コイル１１の間隔（Ｄ）を５ｍｍとする多層スパイラルコイル１０の等価直列抵抗を示している。曲線Ｂ、Ｃに示すように、多層スパイラルコイル１０は、平面コイル１１の間隔（Ｄ）を広くすることにより、等価直列抵抗を相当に小さくできる。したがって、本発明の電力搬送装置は、多段に配置される平面コイル１１を離して配置することで、等価直列抵抗を小さくし、これによってＱ値を高くして、送電効率を向上させる。
【００３６】
本発明の電力搬送装置は、送電効率を高くするために、多段に配置される平面コイル１１の間隔（Ｄ）を、等価直列抵抗が、隣接する平面コイル１１の密着状態における等価直列抵抗の０．５倍以下とする間隔よりも広く配置している。図８のグラフの数値を用いて説明すると、多層スパイラルコイルは、平面コイルを互いに密着するように２層に積層すると、等価直列抵抗が周波数３００ｋＨｚにおいて０．８Ωとなる。ひとつの平面コイルの電気抵抗は０．２Ωであるから、平面コイルを２層に密接して積層する多層スパイラルコイルは、等価直列抵抗が４倍となる。すなわち、この多層スパイラルコイルは、インダクタンスが４倍で、等価直列抵抗が４倍となってＱ値は増加しない。多段に配置される平面コイルに間隔（Ｄ）を設けて、等価直列抵抗を０．８Ωの０．５倍とする多層スパイラルコイルは、等価直列抵抗が０．４Ωとなって、ひとつの平面コイルの２倍となる。すなわち、Ｑ値は２倍となる。本発明の電力搬送装置は、図８の特性の多層スパイラルコイルにあっては、等価直列抵抗を０．４Ωよりも小さくなるように、平面コイルを離して積層する。多段の平面コイルの間隔を広げて、等価直列抵抗を０．５倍よりも小さくするので、たとえば、平面コイルを２段に配置して、インダクタンスを４倍とする多層スパイラルコイルは、等価直列抵抗を０．４Ω（２倍）よりも小さくすることにより、Ｑ値を高くできる。図８の曲線Ｃで示す多層スパイラルコイルは、間隔（Ｄ）を設けて２段に配置することにより、等価直列抵抗を０．３Ωにできる。この等価直列抵抗は、ひとつの平面コイルの１．５倍となるので、インダクタンスを増加しながら、Ｑ値を４／１．５倍、すなわち、約２．７倍にできる。
【００３７】
さらに、多層スパイラルコイル１０を構成する複数の平面コイル１１の間隔（Ｄ）は、スパイラル状に巻いてなる平面コイル１１の導線１２の線間の隙間（ｄ）よりも広くする。言い換えると、導線１２の線間の隙間（ｄ）は、平面コイル１１の間隔（Ｄ）よりも狭くする。これにより、平面コイル１１は、その外径を小さくできる。したがって、多層スパイラルコイル１０は、平面コイル１１の間隔（Ｄ）を線間の隙間（ｄ）よりも広くすることにより、等価直列抵抗を小さくしてコイルのＱ値を高くできる。
【００３８】
以上のように、多層スパイラルコイル１０は、平面コイル１１の間隔（Ｄ）を広くすることにより等価直列抵抗を小さくできる。ただ、平面コイル１１の間隔（Ｄ）が広すぎると、インダクタンスも小さくなる。したがって、多層スパイラルコイル１０は、隣接する平面コイル１１の間隔（Ｄ）を、そのインダクタンスが、ひとつの平面コイル１１のインダクタンスの３倍以上とする間隔よりも狭く配置している。
【００３９】
図９は、多層スパイラルコイル１０の周波数に対するＱ値を示している。この図の曲線Ａは、２層の平面コイル１１を密着して配置する多層スパイラルコイル１０のＱ値を示し、曲線Ｂは平面コイル１１の間隔を３ｍｍとする多層スパイラルコイル１０のＱ値を示し、曲線Ｃは平面コイル１１の間隔を５ｍｍとする多層スパイラルコイル１０のＱ値を示し、曲線Ｄはひとつの平面コイル１１のＱ値を示している。この図から明らかなように、周波数の３００ｋＨｚにおける多層スパイラルコイル１０のＱ値は、平面コイル１１の間隔を５ｍｍとしたときには、約１４００と極めて高く、また、平面コイル１１の間隔を３ｍｍとしたときには、約１２００と高くできる。等価直列抵抗が０．８Ωから０．３Ωと１／２．７となるにも関わらず、Ｑ値が７００から１４００と２倍にしかならないのは、平面コイル１１の間隔を広くしたことでインダクタンスが低下するからである。
【００４０】
以上の電力搬送装置は、受電側のコイル１Ｙを送電側のコイル１Ｘに結合する距離、たとえば、受電側のコイル１Ｙを送電側のコイル１Ｘから０．１ｍ〜０．５ｍ離す状態に配置して、交流電源３から送電側のコイル１Ｘに交流電力を供給する。この状態で、送電側のコイル１Ｘから受電側のコイル１Ｙに磁界共鳴で電力搬送される。受電側のコイル１Ｙに誘導される交流は、整流回路２２で直流に変換され、充電回路２３を介して電池２１を充電する。充電回路２３は、電池２１の満充電を検出して、満充電信号を交流電源３に伝送する。この電力搬送装置は、充電回路２３に、満充電信号を交流電源３に伝送する送信器（図示せず）を装備し、交流電源３は満充電信号を受信する受信器（図示せず）を内蔵している。
【産業上の利用可能性】
【００４１】
本発明の電力搬送装置は、受電側のコイルを送電側のコイルに接近するのが難しい用途、たとえば、電動自転車や電動車両のバッテリの無接点充電等に好適に使用して、より高い送電効率を実現しながら電力搬送できる。
【符号の説明】
【００４２】
１…コイル                      １Ｘ…送電側のコイル
１Ｙ…受電側のコイル
２…コンデンサー
３…交流電源
４…１次コイル
１０…多層スパイラルコイル
１１…平面コイル
１２…導線
２１…電池
２２…整流回路
２３…充電回路
２４…ダイオード
２５…コンデンサー
３１…発振回路
３２…ドライブ回路
３３…スイッチング素子
３４…中間接続点
４０…太陽電池
４１…電動自転車
４２…前カゴ
４３…バッテリ
【図１】
2014023324.tif 000003
【図２】
2014023324.tif 000004
【図３】
2014023324.tif 000005
【図４】
2014023324.tif 000006
【図５】
2014023324.tif 000007
【図６】
2014023324.tif 000008
【図７】
2014023324.tif 000009
【図８】
2014023324.tif 000010
【図９】
2014023324.tif 000011